(57)【要約】      （修正有）【課題】  携帯に適した小さな体積を有し、簡単に準備および片付けることができる携帯用枕を提供する。【解決手段】携帯用枕１であって、複数の収容部１１〜１５を有する収容体１０を備え、該収容部が、それぞれ板状部材を収容することができ、かつ所定方向に連結部３１〜３５を介して一列に配置され、さらに、両端の収容部と該両端の収容部にそれぞれ隣接する内側収容部とを、連結部が配置される端部とは反対側の収容部の端部でそれぞれ結合する結合体２１．２２と、座席に携帯用枕を固定するために、収容体に結合される座席固定部材４１．４２とを備え、使用しないときは、複数の収容部を互いに上または下に配置されるように折畳むことができ、使用するときは、両端の収容部が、結合手段に結合された隣接する内側収容部に対して所定角度に配置されるように展開され、座席固定手段によって座席の所望位置に固定することができる。【選択図】図１
0003120449.tif 000002
【実用新案登録請求の範囲】
【請求項１】
携帯用枕であって、
複数の収容部を有する収容体を備え、該収容部が、それぞれ板状部材を収容することができ、かつ所定方向に連結部を介して一列に配置され、
前記携帯用枕がさらに、
両端の収容部と該両端の収容部にそれぞれ隣接する内側収容部とを、連結部が配置される端部とは反対側の収容部の端部でそれぞれ結合する結合体と、
座席に携帯用枕を固定するために、収容体に結合される座席固定部材とを備え、
使用しないときは、小さな体積を有するように、複数の収容部を互いに上または下に配置されるように折畳むことができ、
使用するときは、両端の収容部が、結合体に結合された隣接する内側収容部に対して所定角度に配置されるように展開され、座席固定部材よって座席の所望位置に固定することができることを特徴とする携帯用枕。
【請求項２】
前記収容体が、収容部に対する開閉部材を備え、該開閉部材によって、板状部材を収容部に導入すること、板状部材を収容部から取り出すこと、または収容部に板状部材が収容された状態を維持することが可能であることを特徴とする請求項１に記載の携帯用枕。
【考案の詳細な説明】
【技術分野】
【０００１】
本考案は、小さく折畳まれた状態で携帯することができ、使用するときは、容易に展開して座席に固定することができ、使用後には、容易に小さく折畳まれた状態に戻すことができる携帯用枕に関する。本考案の携帯用枕は、特に、列車、バス、自動車、または飛行機などの座席で、利用者が仮眠または睡眠をとる場合に、利用者の頭部をある程度固定することによって、安定した仮眠または睡眠を提供することができる。
【背景技術】
【０００２】
従来から知られている携帯用枕として、実公昭４９−１７７９１号に記載されるような空気を吹き込んで膨らませる空気枕があった。
【０００３】
この実用新案に開示される携帯用空気枕は、使用しないときには薄く嵩張らない利点を有するものの、使用するときには、空気枕に空気を吹き込む手間がかかり、さらに使用後には、空気枕に吹き込まれた空気を排出する手間がかかるという欠点を有するものであった。
【０００４】
列車、バス、自動車、または飛行機などの座席で仮眠または睡眠をとる場合に、携帯に便利な小さな体積を有するとともに、上述された実用新案のような手間を必要とせず、使用時には簡単に準備でき、使用終了後には簡単に片付けることができる携帯用枕が望まれていた。
【特許文献１】実公昭４９−１７７９１号明細書
【考案の開示】
【考案が解決しようとする課題】
【０００５】
本考案は、使用しないときには、携帯に適した小さな体積を有するとともに、使用するときには、簡単に準備でき、使用の終了後には、簡単に片付けることができる携帯用枕を提供するものである。
【課題を解決するための手段】
【０００６】
請求項１に係る考案によれば、携帯用枕であって、
複数の収容部を有する収容体を備え、該収容部が、それぞれ板状部材を収容することができ、かつ所定方向に連結部を介して一列に配置され、
前記携帯用枕がさらに、
両端の収容部と該両端の収容部にそれぞれ隣接する内側収容部とを、連結部が配置される端部とは反対側の収容部の端部でそれぞれ結合する結合体と、
座席に携帯用枕を固定するために、収容体に結合される座席固定部材とを備え、
使用しないときは、小さな体積を有するように、複数の収容部を互いに上または下に配置されるように折畳むことができ、
使用するときは、両端の収容部が、結合体に結合された隣接する内側収容部に対して所定角度に配置されるように展開され、座席固定部材よって座席の所望位置に固定することができることを特徴とする。
【０００７】
請求項２に係る考案によれば、前記収容体が、収容部に対する開閉部材を備え、該開閉部材によって、板状部材を収容部に導入すること、板状部材を収容部から取り出すこと、または収容部に板状部材が収容された状態を維持することが可能であることを特徴とする。
【考案の効果】
【０００８】
本考案に係る携帯用枕は、使用するときには、両端の収容部を、結合体に結合された隣接する内側収容部に対して所定角度に配置されるように展開して、座席固定部材によって座席の所望位置に固定することにより、簡単に携帯用枕を準備して固定することができる。また、使用の終了後には、座席固定部材を座席から外してから、複数の収容部を折畳むことで、簡単に片付けることができ、このように折畳まれた携帯用枕は、携帯に適した小さな体積を有するものである。
【０００９】
さらに、収容部に対する開閉部材を用いて、収容部から板状部材を取り出すことができるため、収容体を容易に洗濯することができる。そのため、清浄な状態で携帯用枕を使用することができる。
【００１０】
以下、添付の図面を参照して、本考案の好ましい実施形態について記載する。
【考案を実施するための最良の形態】
【００１１】
図１は、本考案の携帯用枕１の展開した状態を表す斜視図である。
【００１２】
図１に示される携帯用枕１は、収容体１０と、結合体２１および２２と、座席固定部材４１および４２を備える。収容体１０は、図１には示されていない板状部材を収容することができる複数の収容部１１、１２、１３、１４、１５、および１６を有する。これら収容部は、例えば布を袋状に形成したものである。結合体２１は、収容部１１および収容部１２を結合し、結合体２２は、収容部１５および収容部１６を結合する。座席固定部材４１および４２は、収容体１０に結合される。
【００１３】
収容部１１および収容部１２は、連結部３１を介して接続され、収容部１２および収容部１３は、連結部３２を介して接続され、収容部１３および収容部１４は、連結部３３を介して接続され、収容部１４および収容部１５は、連結部３４を介して接続され、収容部１５および収容部１６は、連結部３５を介して接続される。
【００１４】
結合体２１は、連結部３１が配置される収容部１１および収容部１２の端部とは反対側の端部で、収容部１１および収容部１２を結合し、同様に、結合体２２は、連結部３５が配置される収容部１５および収容部１６の端部とは反対側の端部で、収容部１５および収容部１６を結合する。これら結合体２１、２２によって形成される、収容部１１と収容部１２との角度、および収容部１５と収容部１６との角度は、所定角度、例えば３０°から８０°などの角度に、使用に応じて適宜設定される。さらに、これら所定角度を、携帯用枕１の使用中に維持するための部材を備えることもできる。
【００１５】
収容体１０は、ビニールなどのプラスチック材料、または合成繊維もしくは天然繊維などからなる布などの軽量で柔軟な材料によって作られることができる。図１に示される収容体１０は、６個の収容部１１から１６を有するが、収容部の数は６個に限定されるものではなく、４個、５個など６個より少なくても、或いは７個以上など６個より多くても良い。収容体１０の座席と接触する面に、滑り止め加工を施す、または滑り止めの部材を追加することもできる。また収容体１０の利用者の頭部と接触面に、肌触りを改善する処理を施す、または肌触りを改善する部材を付けることもできる。このように、収容体１０に対して必要に応じて適切な処理を行うことができる。
【００１６】
結合体２１および２２は、収容体１０と同一の材料で作られることができるが、異なる材料を用いても良い。さらに、図１の結合体２１において破線で示すように、複数の部材から構成されても良い。連結部３１から３５も、収容体１０と同一の材料で作られることができるが、異なる材料を用いても良い。
【００１７】
座席固定部材４１および４２は、携帯用枕１を使用される座席に固定するものであり、例えば、バックルを備えるベルト、または伸縮性を有する材料で作られたバンドなどである。座席固定部材４１および４２の材料は、例えば革、プラスチック、ゴム、布などでも良い。
【００１８】
図２に、展開された状態の携帯用枕１の側面図を示し、図３に、折畳まれた状態の携帯用枕１の側面図を示す。
【００１９】
図２に示される収容部１１から１６には、破線で示される板状部材が収容されている。
【００２０】
板状部材は、例えば、厚みが２ｍｍから５ｍｍ程度のプラスチック板でも良いが、必要に応じて、使用における快適性のために、低反発性のウレタンまたは発泡体などからなる層と組み合わせることができる。板状部材は、図１に示されるＬを長さ、図２に示されるＷを幅とすれば、長さＬが、１０ｃｍから３０ｃｍ程度であり、一例としては２０ｃｍであり、幅Ｗは、５ｃｍから２０ｃｍ程度であり、一例としては１０ｃｍである。各収容部１１から１６に収容される板状部材は、同じ寸法を有することが好ましいが、必ずしも同じ寸法である必要はない。収容部１１から１６の寸法は、収容される板状部材よりわずかに大きいことが望ましい。
【００２１】
また、図２において収容部１３だけに示した開閉部材５０は、例えばファスナー、面ファスナー（商品名マジックテープ（登録商標））、ぼたんなどであり、板状部材を収容部内に導入する、または板状部材を収容部から取り出すために、収容部を開く働きを行う、もしくは板状部材を収容された状態を維持するために収容部を閉じる働きを行う。図２には、開閉部材５０は収容部１３だけに示されているが、全ての収容部１１から１６に設けられる。さらに、収容部１１から１６に共通の開閉部材を設けて、共通の開閉部材によって、全ての収容部１１から１６への板状部材の導入または取り出しを可能にするように構成することもできる。収容部から板状部材を取り出して、収容体を洗濯して、その後、収容体に板状部材を導入して閉鎖することにより、清浄な状態で携帯用枕１を使用することができる。その場合、座席固定部材４１および４２を、収容体に対して着脱可能に結合できるように構成しても良い。
【００２２】
図３に示されるような折畳まれた状態の携帯用枕１は、収容部１１から１６が、互いに上または下に配置されるように折畳まれ、その周囲を座席固定部材４１および４２が取り巻く。折畳まれた状態の携帯用枕１は、携帯に適した小さな体積を有するものである。なお、図３には、座席固定部材４２にバックル４３などの座席固定部材４１および４２を固定する手段が示されている。
【００２３】
携帯するときには、携帯用枕１は、図３に示されるような折畳まれた状態である、使用するときには、携帯用枕１を、折畳まれた状態から、図２に示されるような展開された状態にして、座席固定部材４１および４２を用いて座席に固定する。使用が終了すると、座席固定部材４１および４２を外して、携帯用枕１を座席から取り外し、図３に示されるような折畳まれた状態にする。このように、本考案の携帯用枕は、使用しないときには、携帯に適した小さな体積を有するとともに、使用するときには、簡単に準備でき、使用の終了後には、簡単に片付けることができるものである。
【図面の簡単な説明】
【００２４】
【図１】本考案の携帯用枕の展開した状態を示す斜視図である。
【図２】展開された状態の携帯用枕の側面図を示す。
【図３】折畳まれた状態の携帯用枕の側面図を示す。
【符号の説明】
【００２５】
１  携帯用枕
１０  収容体
１１、１２、１３、１４、１５、１６  収容部
２１、２２  結合体
３１、３２、３３、３４、３５  連結部
４１、４２  座席固定部材
４３  バックル
５０  開閉部材
【図１】
0003120449.tif 000003
【図２】
0003120449.tif 000004
【図３】
0003120449.tif 000005